(57)【要約】  使用者の鼻の形状に追従するマスクを提供する。  使用者の鼻を覆うために、左右方向に長い上端部を具備する本体部（２０）と、前記本体部（２０）における上端部（２１）からその本体部（２０）の裏面に配置される上面当接部（３０）と、前記上面当接部（３０）の下端からさらに当該上面当接部（３０）の内側に配置され、使用者の鼻に当接する第２上面当接部（４０）と、を有し、前記上面当接部（３０）と前記第２上面当接部（４０）とが袋状を呈するマスク（１０）である。
2018235698.tif 000002
【特許請求の範囲】
【請求項１】
使用者の鼻を覆うために、左右方向に長い上端部を具備する本体部と、前記本体部における上端部からその本体部の裏面に配置される上面当接部と、前記上面当接部の下端からさらに当該上面当接部の内側に配置され、使用者の鼻に当接する第２上面当接部と、を有し、前記上面当接部と前記第２上面当接部とが袋状を呈するマスク。
【請求項２】
前記上面当接部と、前記第２上面当接部と、の左右方向におけるそれぞれの中央部同士を接着した第１接着部と、をさらに有し、前記第２上面当接部における第１接着部の左右両側の左側部及び右側部が袋状を呈する請求項１記載のマスク。
【請求項３】
前記第１接着部の右方向及び左右方向のそれぞれの所定に位置に、前記上面当接部と、前記第２上面当接部と、を接着する右接着部と、左接着部と、を有し、前記右接着部と、前記左接着部との間の部分が袋状を呈する請求項１または２記載のマスク。
【請求項４】
前記上面当接部と、前記第２上面当接部と、の間に、使用者の鼻の形状に倣うように柔軟性を有する緩衝部と、を配置した請求項１からは３いずれか１項記載のマスク。
【請求項５】
前記上面当接部に、使用者の鼻の形状に倣うように折り曲げ自在のノーズフィッターを配置した請求項１からは４いずれか１項記載のマスク。
【請求項６】
前記上面当接部と、前記第２上面当接部と、を共に、４枚の不織布を積層して構成する請求項１から５いずれか１項記載のマスク。
【請求項７】
前記上面当接部と、前記第２上面当接部と、を、さらに１枚の不織布を、それぞれ積層して構成する請求項６項記載のマスク。
【請求項８】
前記本体部は、３枚の不織布によって積層して構成する請求項１から７いずれか１項記載のマスク。
【発明の詳細な説明】
【技術分野】
【０００１】  本発明は、マスクに関するものである。
【背景技術】
【０００２】  風邪の予防、花粉などの影響を避けるために日常生活においてマスクを着用することがある。この従来のマスクは、鼻と口周りを覆うことはできるものの、その鼻の両側から空気が漏れてしまう。特に眼鏡の使用者がこのマスクを使用した場合において、外気が冷えていると、自身の呼気で眼鏡が曇ってしまう場合がある。これを防ぐために、たとえば特開２０１１−０１９８９４号公報に、マスクを着用した場合に鼻の形状になじんで隙間を無くすことが出来る縁部材を上縁に取付けたマスクにおいて、該縁部材は少なくとも一部を概略逆Ｕ字状の断面をなした柔軟性のある材質からなり、その内部には針金などで曲げることが出来る芯材を埋着し、そして両側片の間には隙間を有してマスク上縁が嵌って取付けたことを特徴とするマスクが開示されている。【０００３】  上記マスクはその上縁に縁部材を取付けることで、マスク上縁と鼻との間の隙間を無くすことが出来、メガネを掛けてもレンズが曇ることはない。すなわち、縁部材は柔軟な材質内に針金などの芯材を埋着していることで、鼻の形状に合わせて曲げることができることで、マスク上縁に取付けた縁部材によって隙間の発生は防止されるというものである。【０００４】  しかしながら、マスクの上縁に取付けた縁部材は、必ずしも使用者の鼻の形状に倣うというものではなく、マスク上縁と鼻との間に隙間が生じてしまい、呼気の漏れを必ずしも防止するものではない。
【先行技術文献】
【特許文献】
【０００５】
【特許文献１】特開２０１１−０１９８９４号公報
【発明の開示】
【発明が解決しようとする課題】
【０００６】  本発明は前記の点に着目してなされたもので、その課題は、使用者の鼻の形状に追従するマスクを提供することを目的とする。【０００７】  第１観点におけるマスクは、使用者の鼻を覆うために、左右方向に長い上端部を具備する本体部と、本体部における上端部からその本体部の裏面に配置される上面当接部と、上面当接部の下端からさらに当該上面当接部の内側に配置される使用者の鼻に当接する第２上面当接部と、を有し、上面当接部と前記第２上面当接部とが袋状を呈するというものである。【０００８】  第２観点におけるマスクは、第１観点において、上面当接部と、第２上面当接部と、の左右方向におけるそれぞれの中央部同士を接着した第１接着部と、をさらに有し、第２上面当接部における第１接着部の左右両側の左側部及び右側部が袋状を呈するというものである。【０００９】  第３観点におけるマスクは、第１観点または第２観点において、第１接着部の右方向及び左右方向のそれぞれの所定に位置に、上面当接部と、第２上面当接部と、を接着する右接着部と、左接着部と、を有し、右接着部と、左接着部との間の部分が袋状を呈するというものである。【００１０】  第４観点におけるマスクは、第１観点から第３観点において、上面当接部と、第２上面当接部と、の間に、使用者の鼻の形状に倣うように柔軟性を有する緩衝部と、を配置したというものである。【００１１】  第５観点におけるマスクは、第１観点から第４観点において、上面当接部に、使用者の鼻の形状に倣うように折り曲げ自在のノーズフィッターを配置したというものである。【００１２】  第６観点におけるマスクは、第１観点から第５観点において、上面当接部と、第２上面当接部と、を共に、４枚の不織布を積層して構成するというものである。【００１３】  第７観点におけるマスクは、第６観点において、上面当接部と、第２上面当接部と、を、さらに１枚の不織布を、それぞれ積層して構成するというものである。【００１４】  第８観点におけるマスクは、第１観点から第７観点において、本体部は、３枚の不織布によって積層して構成するというものである。
【発明の効果】
【００１５】  本発明によれば、使用者の鼻の形状に追従するマスクを提供することができる。
【図面の簡単な説明】
【００１６】
【図１】第１実施例等におけるマスクの正面図である。
【図２】Ａは、第１実施例におけるマスクの背面図である。Ｂは、ＡにおけるＩＩＢ―ＩＩＢ線端面図である。
【図３】Ａは、第２実施例におけるマスクの背面図である。Ｂは、ＡにおけるＩＩＩＢ―ＩＩＩＢ線端面図である。
【図４】Ａは、第３実施例におけるマスクの背面図である。Ｂは、ＡにおけるＩＶＢ―ＩＶＢ線端面図である。
【図５】Ａは、第４実施例におけるマスクの背面図である。Ｂは、ＡにおけるＶＢ―ＶＢ線端面図である。
【図６】第１実施例におけるマスクの使用時の背面図である。
【図７】図６におけるＶＩＩ―ＶＩＩ線拡大端面図である。
【図８】第２実施例におけるマスクの使用時の背面図である。
【図９】図８におけるＩＸ―ＩＸ線拡大端面図である。
【図１０】第３実施例におけるマスクの使用時の背面図である。
【図１１】図１０におけるＸＩ―ＸＩ線拡大端面図である。
【図１２】第４実施例におけるマスクの使用時の背面図である。
【図１３】図１２におけるＸＩＩＩ―ＸＩＩＩ線拡大端面図である。
【図１４】Ａは、図１におけるＸＩＶ―ＸＩＶ線の切断面を図示した斜視図である。Ｂは第１実施例等における上面当接部および第２上面当接部に、さらに１枚の不織布を積層して構成したマスクの切断面を図示した斜視図である。
【発明を実施するための形態】
【００１７】  第１実施例におけるマスク１０について説明する。マスク１０は、花粉、粉塵等の吸入を防止するために用いることが可能であり、医療用のみならず日常生活においても風邪等の予防に用いることができる。マスク１０は、マスク本体２０を有し、その裏面に上面当接部３０を有する（図２Ａ参照）。マスク本体２０は、上下方向Ｖに比べて左右方向Ｈに長く、ほぼ帯状を呈し、上端部２１と下端部２２と左端部２３と右端部２４とを有する。なお、マスク１０の説明において左というときは、図２以降におけるマスク１０の裏面の図を基準として説明する。
【００１８】  上端部２１は、緩やかな円弧状を呈する。また、下端部２２も同様に緩やかな円弧状を呈し、それらの中央部は、それぞれ上方及び下方に突出している。また、左端部２３および右端部２４は、共に、マスク本体２０の内部方向に入り込むような円弧状を呈する。従って、左端部２３と右端部２４と上端部２１および下端部２２の交点すなわちマスク本体２０の４隅は外方に突出する構成である。
【００１９】  また、マスク本体２０の４隅付近における左端部２３及び右端部２４に、耳に掛けるための環状の耳掛部８０、８０を配置する。耳掛部８０、８０は、ゴムなどの伸縮性を有するひも状のものが好ましい。この環状の耳掛部８０、８０の両端はそれぞれ耳掛基部８１、８１、８１、８１に溶着され固定されている。その耳掛基部８１、８１、８１、８１は、上記のとおりマスク本体２０の４隅付近に配置されている。
【００２０】  また、マスク本体２０の上下方向Ｖのほぼ中央部において、蛇腹状に複数折りたたまれ左右方向Ｈにわたって帯状に構成された膨出部２５を有する。この膨出部２５は、使用時にふくらむことで、使用者の口や鼻付近に空間の余裕ができ、呼吸及び会話が容易となるというものである。またマスク本体２０は、使用者の鼻のみならず口をも覆うように、構成することが好ましい。
【００２１】  マスク本体２０の裏面において、その上端部２１から下方にたらすように、上面当接部３０を有する。上面当接部３０は、使用者の鼻付近を覆うように左右方向Ｈの長さが上端部２１とほぼ同様の寸法を呈し、上下方向Ｖの高さ方向の幅はマスク本体２０のほぼ半分である。上面当接部３０は、マスク本体２０の裏面において上端部２１から折りたたむように構成されている（図２Ａ参照）。
【００２２】  上面当接部３０の下端部３１からさらにその上面当接部３０内側（マスク本体２０と上面当接部３０の間）にかけて第２上面当接部４０を配置している（図２Ｂ参照）。従って、マスク本体２０の上下方向Ｖの上半分は、後述するノーズフィッター７０と緩衝部７５とを除けば、マスク本体２０と、第２上面当接部４０と、上面当接部３０と、の３重の構成である（図２Ｂ参照）。なお、マスク本体２０と、第２上面当接部４０と、上面当接部３０と、は、それぞれ、２枚または３枚の不織布を積層して構成することができる。本実施例においては、不織布を３枚積層したものが好ましい。また、第２上面当接部４０は、上面当接部３０の下端部３１をさらに内側に折り畳むように構成している。この場合、上面当接部３０の下端部３１は、袋状となる。また、上面当接部３０の下端部３１からさらに内側にかけて第２上面当接部４０を別体として配置した場合においても、下端部３１は、袋状となるように構成することが好ましい。また、この第２上面当接部４０は、使用者の鼻に、直接接するものでありいわば当接するものである。
【００２３】  また、緩衝部７５を、上面当接部３０と、第２上面当接部４０との間に挟み込むように配置する。緩衝部７５はスポンジ状の合成樹脂性であり、使用者の鼻の周りの形状に倣うように、クッション性を有するものである。緩衝部７５を有する場合は、後述する第１接着部５０を有する場合において、上面当接部３０と、第２上面当接部４０と、共に固定されることが好ましい（図２Ｂ参照）。なお、スポンジ状の緩衝部７５は、そのクッション性ゆえ、若干膨らんだ状態を呈する。
【００２４】  また、上面当接部３０において、上記第２上面当接部４０と重なるように、左右方向Ｈすなわち横向きに、ノーズフィッター７０を配置する。このノーズフィッター７０は、ワイヤ状のものであり一定の形状を保持しつつ折り曲げ自在の柔軟性を有する金属性が好ましい。なお、一定の形状を保持しつつ折り曲げ自在の柔軟性を有するものであれば合成樹脂であっても良い（図２Ｂ参照）。
【００２５】  また、マスク１０における上面当接部３０は、マスク本体２０に、上端部２１と、左端部２３および右端部２４のほぼ上半分において、接着されている。従って、上記のとおり、上面当接部３０の下端部３１は、袋状となり、上面当接部３０と第２上面当接部４０と左端部２３および右端部２４のほぼ上半分において囲まれた空間を有する。
【００２６】  また、下面当接部６０は、マスク本体２０に、下端部２２と、左端部２３および右端部２４のほぼ下半分において、接着されている。下面当接部６０における第１側部６１、６１は、左端部２３および右端部２４に接続されず、下面当接部６０における第２側部６２、６２が、左端部２３および右端部２４に溶着されている。それぞれ、第１側部６１、６１と第２側部６２、６２とは、互いに離れているために、下面当接部６０における第１側部６１、６１は、使用時に下面当接部６０を手前側に引き出すことが容易となると共に、使用者の顎を覆うことが容易となる。
【００２７】  また、マスク１０の外周に、外周接着部２７を配置している。これによりマスク本体２０と、上面当接部３０と、第２上面当接部４０と、下面当接部６０とをマスク１０の外周において溶着している。また、上面当接部３０と、第２上面当接部４０と、が接続されているので、上面当接部３０と第２上面当接部４０とが袋状を呈する。また、上面当接部３０と、下面当接部６０と、のそれぞれの左右方向Ｈの両端部が固定されている。また、接着部２７によって、蛇腹状に複数折りたたまれ、左右方向Ｈにわたって帯状に構成された膨出部２５の両端部を固定することができる。
【００２８】  また、上面当接部３０と、第２上面当接部４０とは、左端部２３と右端部２４とにおいて接着されているが、さらに、左円弧状接着部３３と、右円弧状接着部３４とで接着されている。左円弧状接着部３３は、左端部２３付近における膨出部２５の上端部２５ａから、マスク本体２０の上端部２１の左端におけるその上端部２１の長さの３分の１の位置にかけて、点線状に配置され、その形状は文字通り円弧状を呈している（図１参照）。
【００２９】  また、右円弧状接着部３４は、右端部２４付近における膨出部２５の上端部２５ｂから、マスク本体２０の上端部２１の右端におけるその上端部２１の長さの３分の１の位置にかけて、点線状に配置され、その形状は文字通り円弧状を呈している。
【００３０】  マスク本体２０の裏面において、その下端部２２から上方に向かうように、下面当接部６０を有する。下面当接部６０は、使用者の口付近を覆うように左右が下端部２２とほぼ同様の寸法を呈し、高さ方向の幅はマスク本体２０の高さのほぼ半分である。下面当接部６０は、マスク本体２０を下端部２２の裏面において、上下方向Ｖに折り返して構成されている。
【００３１】  また、上記のとおり下面当接部６０とマスク本体２０は、左端部２３と右端部２４とにおいて接着されているが、さらに、左下円弧状接着部６３と、右下円弧状接着部６４とで接着されている。左下円弧状接着部６３は、左端部２３付近における膨出部２５の下端部２５ｃから、マスク本体２０の下端部２２の左端からその下端部２２の長さの３分の１の位置にかけて、点線状に配置され、その形状は文字通り円弧状を呈している（図１参照）。
【００３２】  右下円弧状接着部６４は、右端部２４付近における膨出部２５の下端部２５ｄから、マスク本体２０の下端部２２の右端からその下端部２２の長さの３分の１の位置にかけて、点線状に配置され、その形状は文字通り円弧状を呈している（図１参照）このように左円弧状接着部３３と、右円弧状接着部３４と、左下円弧状接着部６３と、右下円弧状接着部６４とにおいて使用者の口と鼻周りを確実に覆うことができる。また、またマスク１０は不織布で構成することが好ましく、上述の各接着部は、超音波を使用したシーリングによって点状に溶着することで、接着することが好ましい。
【００３３】  次に第２実施例におけるマスク１０Ａについて説明する。上記第１実施例マスク１０との相違点のみを説明し、共通する部分は同じ符号を付しその説明を省略する。マスク本体部２０における裏面に配置した上面当接部３０と、第２上面当接部４０とを接着する第１接着部５０を、その第１接着部５０と第２上面当接部４０とのそれぞれの左右方向Ｈの中央部に配置する。ここで、第１接着部５０および第２上面当接部４０の中央部としたのは、図示しない使用者の鼻に当接する位置ということであり厳密に中央でなければならないということではない（図３Ａ、Ｂ参照）。
【００３４】  また、上面当接部３０と、第２上面当接部４０とを接着する第１接着部５０を、その第１接着部５０と第２上面当接部４０とのそれぞれの左右方向Ｈの中央部に配置したときに、上述のとおり、上面当接部３０と、第２上面当接部４０とは袋状を呈するために、第１接着部５０によって、その左側部５０ａ及び右側部５０ｂが袋状を呈することになる。従って、後述するように、使用者が使用する際に、その左側部５０ａ及び右側部５０ｂが膨らむものの、第１接着部５０は、膨らむことなく、使用者の鼻に当接する。よって、左側部５０ａ及び右側部５０ｂが膨らむことで、図示しない使用者の鼻の横の隙間を塞ぐことができる。なお、第１接着部５０は、６つの円状の点で溶着することが好ましい。このように溶着すると、不織布が固くなりにくく、着け心地が良好となる。また、その６つの点のうちの一部が、溶着することによって、第１接着部５０の多少の位置ずれを吸収することができる。
【００３５】  次に、第３実施例におけるマスク１０Ｂについて説明する。上記第１実施例におけるマスク１０との相違点のみを説明し、共通する部分は同じ符号を付しその説明を省略する。上面当接部３０と、第２上面当接部４０とを接着する左接着部５１ａと、右接着部５１ｂと、を有する。左接着部５１ａは、文字通り、上面当接部３０の左方に配置され、右接着部５１ｂは、文字通り、上面当接部３０の右方に配置され、それらは、所定の間隔をあけて配置されている。ここで所定の間隔とは上面当接部３０の横幅をほぼ２分する間隔であることが好ましい。すなわち、上面当接部３０の左右方向Ｈの長さをほぼ４分した位置であって、左端部２３から上面当接部３０をほぼ４分する位置に、左接着部５１ａが配置されている。また、上面当接部３０の左右方向Ｈの長さをほぼ４分した位置であって、右端部２４から上面当接部３０をほぼ４分する位置に、右接着部５１ｂが配置されている。左接着部５１ａと、右接着部５１ｂと、の間の部分５１が後述するように、使用者の鼻に当接する。
【００３６】  次に、第４実施例におけるマスク１０Ｃについて説明する。上記第１実施例におけるマスク１０との相違点のみを説明し、共通する部分は同じ符号を付しその説明を省略する。上面当接部３０と、第２上面当接部４０とを接着する第１接着部５０と、左接着部５１ａと、右接着部５１ｂと、を有する。第１接着部５０は、上記第２実施例におけるマスク１０Ａに配置した第１接着部５０と同様であり、その第１接着部５０と第２上面当接部４０とのそれぞれの左右方向Ｈの中央部に配置されている。また、左接着部５１ａと、右接着部５１ｂと、は、上記第３実施例におけるマスク１０Ｂにおける左接着部５１ａと、右接着部５１ｂと、同様であり同じ符号を付する。
【００３７】  従って、左接着部５１ａは、文字通り、上面当接部３０の第１接着部５０の左方に配置され、右接着部５１ｂは、文字通り、上面当接部３０の第１接着部５０の右方に配置され、それらは、第１接着部５０から第２の所定の間隔をあけて配置されている。ここで第２の所定の間隔とは上面当接部３０の横幅をほぼ４分する間隔であることが好ましい。すなわち、上面当接部３０の左右方向Ｈの長さをほぼ２分した位置が、第１接着部５０の位置となり、左に上面当接部３０の左右方向Ｈの長さをほぼ４分した位置であって、左端部２３から上面当接部３０をほぼ４分する位置に、左接着部５１ａが配置されている。また、左に上面当接部３０の左右方向Ｈの長さをほぼ４分した位置であって、右端部２４から上面当接部３０をほぼ４分する位置に、右接着部５１ｂが配置されている（図５Ａ、Ｂ参照）。また、上記緩衝部７５を左接着部５１ａと右接着部５１ｂの間に配置している。
【００３８】  このように、上面当接部３０と、第２上面当接部４０とは、左右方向Ｈの中央に、第１接着部５０を配置し、左方の所定の位置に左接着部５１ａが配置され、右方の所定の位置に右接着部５１ｂが配置され、上記の３点で、上面当接部３０と、第２上面当接部４０が固定されている。この場合において、この、第１接着部５０と、左接着部５１ａと、右接着部５１ｂと、において、緩衝部７５を固定することができる。また、ノーズフィッター７０は、左右方向Ｈに長い長方形状のノーズフィッター接着部７１の内部に配置される。上記のとおり、図示しないが上面当接部３０は、３枚の不織布を積層して構成することができる。従って、その３枚の積層した不織布のうち隣接する２枚の不織布の間にノーズフィッター７０を挟むように配置し、その周りをノーズフィッター接着部７１で溶着して固定することができる。
【００３９】  なお、上記のとおり、第２上面当接部４０は、上面当接部３０の下端部３１をさらに内側に折り畳むように構成した場合に、この下端部３１は袋状を呈している。従って、第１接着部５０と、左接着部５１ａと、右接着部５１ｂ以外の第２上面当接部４０の第１箇所５２ａ及び第２箇所５２ｂも、袋状を呈している。なお、第２実施例におけるマスク１０Ａと、第３実施例におけるマスク１０Ｂと、第４実施例におけるマスク１０Ｃとの正面図（図１）は、第１実施例におけるマスク１０の正面図と共通するためにそれらの正面図は省略する。
【００４０】  本実施例におけるマスク１０を図示しない使用者に装着するために、そのマスク１０の裏側を図示しない使用者に向け、上面当接部３０と、下面当接部６０と、を引き出す（図６参照）。このとき、第２上面当接部４０が配置された上面当接部３０は、左円弧状接着部３３と、右円弧状接着部３４と、を境に図面手前側に突出する。また、下面当接部６０は、左下円弧状接着部６３と、右下円弧状接着部６４と、を境に図面手前側に突出する。特に、下面当接部６０における第１側部６１、６１は、それぞれ左端部２３および右端部２４に溶着されていないので、使用時に下面当接部６０を手前側に引き出すことが容易となると共に、使用者の顎を覆うことが容易となる。
【００４１】  このとき、上面当接部３０の裏側に配置された第２上面当接部４０は、使用者の鼻周りに密着する。また、下面当接部６０における裏側６５は、使用者の口を含み顎の周りに密着する。さらに、膨出部２５が、膨らむことによって、息苦しさが緩和され会話や呼吸が楽に行えるようになる。
【００４２】  また、図７において、第２上面当接部４０は、使用者の鼻の傾斜にあわせて密着することが可能となり、特に、図示しない使用者の鼻は、第２上面当接部４０と当接することで、その鼻に密着する。また、使用者の鼻の両側部分においては、第２上面当接部４０は上記のとおり袋状を呈しているために、その袋状の部分に使用者の呼気が流入することで、その第２上面当接部４０が、鼻に密着する。従って、使用者の鼻とほほの間の部分は、第２上面当接部４０が密着することで、マスク１０との隙間は塞がれることになり、使用者の呼気が流出する可能性を可及的に低減することができる。よって、眼鏡を使用した場合においてその眼鏡の曇りを防止することができる。
【００４３】  次に第２実施例におけるマスク１０Ａを、図示しない使用者に装着する方法は上記第１実施例のマスク１０と同様である。マスク１０Ａを図示しない使用者に装着するために、マスク本体部２０における裏面に配置した上面当接部３０と、第２上面当接部４０とを接着する第１接着部５０が、使用者の鼻に当接する。従って、第２上面当接部４０は、使用者の鼻の傾斜にあわせて密着することが可能となり、使用者の鼻の両側部分においては、その左側部５０ａ及び右側部５０ｂが袋状を呈するためのその中に、使用者の呼気が流入することで、その左側部５０ａ及び右側部５０ｂが使用者の鼻の両側部分に密着する。従って、使用者の鼻とほほの間と、マスクとの隙間は、膨らんだ左側部５０ａと、右側部５０ｂと、で塞がれることになり、使用者の呼気が流出する可能性を可及的に低減することができる（図８、９参照）。よって、眼鏡を使用した場合においてその眼鏡の曇りを防止することができる。
【００４４】  次に第３実施例におけるマスク１０Ｂを、図示しない使用者に装着する方法は上記第１実施例のマスク１０と同様である。マスク１０Ｂを図示しない使用者に装着するために、マスク本体部２０における裏面に配置した第２上面当接部４０を使用者の鼻に当接する。従って、第２上面当接部４０は、使用者の鼻の傾斜にあわせて密着することが可能となり、使用者の鼻の両側部分においては、その左接着部５１ａと、右接着部５１ｂと、の間の部分５１が袋状を呈するためのその中に、使用者の呼気が流入することで、その左接着部５１ａと、右接着部５１ｂと、の間の部分５１が使用者の鼻の両側部分に密着する。従って、使用者の鼻とほほの間と、マスクとの隙間は、膨らんだ左接着部５１ａと、右接着部５１ｂと、の間の部分５１で塞がれることになり、使用者の呼気が流出する可能性を可及的に低減することができる（図１０、１１参照）。よって、眼鏡を使用した場合においてその眼鏡の曇りを防止することができる。
【００４５】  次に第４実施例におけるマスク１０Ｃを、図示しない使用者に装着する方法は上記第１実施例のマスク１０と同様である。マスク１０Ｃを図示しない使用者に装着するために、マスク本体部２０における裏面に配置した上面当接部３０と、第２上面当接部４０とを接着する第１接着部５０が、使用者の鼻に当接する。従って、第１接着部５０と左接着部５１ａとの間の部分５２ａと、第１接着部５０と右接着部５１ｂとの間の部分５２ｂと、はそれぞれ袋状を呈していることから、その部分５２ａおよびその部分５２ｂの中に、使用者の呼気が流入することで、その部分５２ａおよびその部分５２ｂが使用者の鼻の両側部分に密着する。従って、使用者の鼻とほほの間と、マスクとの隙間は、膨らんだ部分５２ａおよびその部分５２ｂで塞がれることになり、使用者の呼気が流出する可能性を可及的に低減することができる（図１０、１１参照）。よって、眼鏡を使用した場合においてその眼鏡の曇りを防止することができる。
【００４６】  また、マスク１０、マスク１０Ａ、マスク１０Ｂ、マスク１０Ｃは、における緩衝部７５はスポンジ状のものを使用することにより、またノーズフィッター７０を配置することで、さらにそれらのマスク１０等の形状が使用者の鼻の形状に追従することになり、呼気の漏れを可及的に防ぐことで、その眼鏡の曇りをさらに防止することができる。
【００４７】  また、上記のとおり、マスク本体２０と、第２上面当接部４０と、上面当接部３０と、は、それぞれ、２枚または３枚の不織布を積層して構成することができるが、さらに、マスク本体２０は、２枚または３枚の不織布を積層して構成するとともに、第２上面当接部４０と、上面当接部３０とは、４枚の不織布を積層して構成することができる。さらに、第２上面当接部４０と、上面当接部３０とに、さらに１枚の不織布を、それぞれ積層して構成することができる。すなわち後述するように、他の第２上面当接部４０′と、他の上面当接部３０′とは、それぞれ５枚の不織布を積層して構成することができる（図１４Ａ、Ｂ参照）。
【００４８】  具体的には、マスク１０のみならず、マスク１０Ａ、マスク１０Ｂ、マスク１０Ｃにおける上面当接部３０は、第１不織布３０ａと、第２不織布３０ｂと、第３不織布３０ｃと、第４不織布３０ｄと、の４枚の不織布によって積層して構成することができる。また、第２上面当接部４０においても、第１上面不織布４０ａと、第２上面不織布４０ｂと、第３上面不織布４０ｃと、第４上面不織布４０ｄと、の４枚の不織布によって積層して構成することができる（図１４Ａ参照）。もっとも、図示しないが、第２上面当接部４０において、第２上面不織布４０ｂのみを取り除いて、第１上面不織布４０ａと、第３上面不織布４０ｃと、第４上面不織布４０ｄと、の３枚の不織布によって積層して構成することも好ましい。また、この場合において、上面当接部３０は、第１不織布３０ａと、第２不織布３０ｂと、第３不織布３０ｃと、第４不織布３０ｄと、の４枚の不織布によって積層して構成することが好ましい。
【００４９】  また、マスク１０′のみならず、マスク１０Ａ′、マスク１０Ｂ′、マスク１０Ｃ′における上面当接部３０は、さらに、第１不織布３０ａと、第２不織布３０ｂと、第３不織布３０ｃと、第４不織布３０ｄと、第５不織布３０ｅと、の５枚の不織布によって積層して構成することができる。さらに、第１上面不織布４０ａと、第２上面不織布４０ｂと、第３上面不織布４０ｃと、第４上面不織布４０ｄと、第５上面不織布４０ｅと、の５枚の不織布によって積層して構成することができる（図１４Ｂ参照）。
【００５０】  さらに、第２上面当接部４０と、上面当接部３０とは、別体で設けることもでき、またそれらは、一連として設けることもできる。すなわち、一連として設けるとは、第１不織布３０ａと、第１上面不織布４０ａとを、一枚の不織布によって構成し、また、第２不織布３０ｂと、第２上面不織布４０ｂとを、一枚の不織布によって構成し、また、第３不織布３０ｃと、第３上面不織布４０ｃとを、一枚の不織布によって構成し、また、第４不織布３０ｄと、第４上面不織布４０ｄとを、一枚の不織布によって構成することにより、第２上面当接部４０と、上面当接部３０と、を４枚の不織布によって積層して構成することができる。これは、マスク１０のみならず、マスク１０Ａ、マスク１０Ｂ、マスク１０Ｃにおいても同様である（図１４Ａ参照）。
【００５１】  さらに、上記のとおり、マスク１０′のみならず、マスク１０Ａ′、マスク１０Ｂ′、マスク１０Ｃ′における他の第２上面当接部４０′と、他の上面当接部３０′とは、５枚目の不織布である、第５不織布３０ｅと、第５上面不織布４０ｅとを、それぞれ有する。なお、マスク１０、マスク１０Ａ、マスク１０Ｂ、マスク１０Ｃとの差異は、他の上面当接部３０′において第５不織布３０ｅと、を有する点である。また、他の第２上面当接部４０′においてさらに第５上面不織布４０ｅと、を有する点である。従って、その他の点は同様であるので同一の符号を付し、その説明を省略する。また、第５不織布３０ｅと、第５上面不織布４０ｅとを、一枚の不織布によって構成する上述のいわゆる一連として設けることにより、計５枚の不織布によって積層して構成することができる（図１４Ｂ参照）。もっとも、それらを別体で設けることもできることについては言うまでもない。このように、上面当接部３０と、第２上面当接部４０及び、他の上面当接部３０′と、他の第２上面当接部４０′は、とは、それぞれ４枚または５枚の不織布を積層して構成することができる。
【００５２】  上記のとおり、第２上面当接部４０と、上面当接部３０とは、マスク本体２０よりも１枚多く、他の上面当接部３０′と、他の第２上面当接部４０′とは、２枚多い、それぞれ４枚あるいは５枚の不織布を積層して構成することで、漏れやすい鼻部分とその他の部分の厚みを変えることで、その鼻部分からの呼気が漏れにくくなる。また、比較的固い材質のノーズフィッター７０を採用したとしても、肌触りの良い薄い生地を使うことができる。特にノーズフィッター７０について、アルミ二ウム製ものを採用した場合において、２枚あるいは３枚の不織布を積層して構成したもので、上面当接部３０を作成した場合に、この上面当接部３０をノーズフィッター７０が破り飛び出してこないように厚い不織布を使用するのに対し、この上面当接部３０または他の上面当接部３０′においてそれぞれ、４枚または５枚の不織布を積層して構成することで、比較的薄い不織布を採用することにより、この上面当接部３０または、他の上面当接部３０′を、ノーズフィッター７０が破り、飛び出す可能性を可及的に軽減しつつ、使用者の肌さわりを良好にすることができる。また、１ｍ2当たりの重さをグラムで表示したいわゆる目付けにおいて、３０パーセント薄い不織布を使用することで、呼気を抜け易くすることができる。
【００５３】  また、マスク本体２０については、２枚あるいは３枚の不織布を積層して構成することで、良好に呼吸を行うことができる。この場合において、マスク本体２０は、３枚の不織布を積層して構成することが好ましい。具体的には例えば３枚の不織布を積層して構成する場合は、第１本体不織布２０ａと、第２本体不織布２０ｂと、第３本体不織布２０ｃと、によってマスク本体２０を積層して構成することできる。これは、マスク１０のみならず、マスク１０Ａ、マスク１０Ｂ、マスク１０Ｃおよび、マスク１０′、マスク１０Ａ′、マスク１０Ｂ′、マスク１０Ｃ′においても同様である。
【符号の説明】
【００５４】１０  マスク２０  マスク本体２０ａ  第１本体不織布２０ｂ  第２本体不織布２０ｃ  第３本体不織布２１  上端部２２  下端部２３  左端部２４  右端部２５  膨出部３０  上面当接部３０′  他の上面当接部３０ａ  第１不織布３０ｂ  第２不織布３０ｃ  第３不織布３０ｄ  第４不織布３０ｅ  第５不織布３１  下端部４０  第２上面当接部４０′  他の第２上面当接部４０ａ  第１上面不織布４０ｂ  第２上面不織布４０ｃ  第３上面不織布４０ｄ  第４上面不織布４０ｅ  第５上面不織布５０  第１接着部５０ａ  左側部５０ｂ  右側部５１ａ  左接着部５１ｂ  右接着部５１  右接着部と左接着部との間の部分５２ａ  第１接着部５０と左接着部との間の部分５２ｂ  第１接着部５０と右接着部との間の部分６０  下面当接部７０  ノーズフィッター７５  緩衝部
【図１】
2018235698.tif 000003
【図２】
2018235698.tif 000004
【図３】
2018235698.tif 000005
【図４】
2018235698.tif 000006
【図５】
2018235698.tif 000007
【図６】
2018235698.tif 000008
【図７】
2018235698.tif 000009
【図８】
2018235698.tif 000010
【図９】
2018235698.tif 000011
【図１０】
2018235698.tif 000012
【図１１】
2018235698.tif 000013
【図１２】
2018235698.tif 000014
【図１３】
2018235698.tif 000015
【図１４】
2018235698.tif 000016
【国際調査報告】
2018235698.tif 000017
2018235698.tif 000018
2018235698.tif 000019
2018235698.tif 000020